(57)【要約】【課題】外枠の島設備に対する固定作業を容易に行わせることができ、設置コストを低減させることができるパチンコ遊技機を提供する。【解決手段】遊技ホールの島設備における設置枠台９に対して所定角度傾斜して固定されるとともに、上面板７ａ、一対の側面板７ｂ及び下面板７ｃから成る外枠７と、該外枠７に揺動可能に設けられた内枠８と、該内枠８に揺動可能に設けられ、遊技盤４、ハンドル５及び受け皿６等が形成されたガラス枠ユニット３とを具備したパチンコ遊技機１において、外枠７は、紐状部材１１ｂの先端に錘１１ａを吊して成る錘手段１１を取り付け可能とされるとともに、当該外枠７を所定の傾斜角度αとした際に自重で垂れ下がった錘１１ａの位置と合致する角度目印１０が下面板７ｃに形成されたものである。【選択図】図６
2010284292.tif 000002
【特許請求の範囲】
【請求項１】
遊技ホールの島設備における設置枠台に対して所定角度傾斜して固定されるとともに、上面板、一対の側面板及び下面板から成る外枠と、
該外枠に揺動可能に設けられた内枠と、
該内枠に揺動可能に設けられ、遊技盤、ハンドル及び受け皿等が形成されたガラス枠ユニットと、
を具備したパチンコ遊技機において、
前記外枠は、紐状部材の先端に錘を吊して成る錘手段を取り付け可能とされるとともに、当該外枠を所定の傾斜角度とした際に自重で垂れ下がった前記錘の位置と合致する角度目印が前記下面板に形成されたことを特徴とするパチンコ遊技機。
【請求項２】
前記角度目印は、複数形成され、自重で垂れ下がった前記錘を任意の角度目印に合致させることにより前記外枠を所望の角度傾斜に設定可能とされたことを特徴とする請求項１記載のパチンコ遊技機。
【請求項３】
前記錘は、その先端が尖って形成されたことを特徴とする請求項１又は請求項２記載のパチンコ遊技機。
【発明の詳細な説明】
【技術分野】
【０００１】
本発明は、遊技ホールの島設備における設置枠台に対して所定角度傾斜して固定される外枠を有したパチンコ遊技機に関するものである。
【背景技術】
【０００２】
パチンコ遊技機は、通常、遊技ホールの島設備における設置枠台に対して所定角度傾斜して固定される外枠と、該外枠に揺動可能に設けられた内枠と、該内枠に揺動可能に設けられ、遊技盤、ハンドル及び受け皿等が形成されたガラス枠ユニットとを具備しており、このうち外枠は、上面板、一対の（左右の）側面板及び下面板から成る枠状部材（通常は木製のもの）で構成されている。
【０００３】
然るに、外枠を設置枠台に対して所定角度傾斜して固定することによりパチンコ遊技機全体を傾斜して設置させているのであるが、かかる傾斜角度に応じて遊技盤上の遊技球の挙動が変化するため、入賞状況等に大きな影響が及ぼされることとなる。従って、外枠を設置する際の傾斜角度は、メーカーが遊技性を考慮して設定するようになっており、各パチンコ店においては、その設定通りに当該外枠を固定させる必要がある。そのため、従来、外枠の設置作業にあたり、その傾斜角度を精密に測定可能な測定器が必要とされていた。
【０００４】
尚、パチンコ遊技機全体の傾斜角度を目視可能とするものとして、例えば特許文献１にて開示されたものが挙げられる。かかるパチンコ遊技機は、傾斜角度に応じて移動する気泡を内在し、その機能の変位位置を目盛り表示部の目盛りにて目視することにより、パチンコ遊技機全体の傾斜角度を把握し得るよう構成されていた。これにより、パチンコ遊技機の島設備への設置時のみならず、遊技者に対してもパチンコ遊技機の傾斜角度を容易に把握させることができる。
【先行技術文献】
【特許文献】
【０００５】
【特許文献１】特開平１１−１２８５０９号公報
【発明の概要】
【発明が解決しようとする課題】
【０００６】
しかしながら、上記従来のパチンコ遊技機においては、外枠の固定作業時における傾斜角度を測定するための測定器が別個必要とされることから、作業性が悪く、当該測定器の分だけコストが掛かってしまうという問題があった。また、パチンコ遊技機に傾斜角度を表示させ得る表示装置を内在させたものにおいても、その表示装置の分だけコストが嵩んでしまうという問題があった。特に、パチンコ遊技機を島設備に設置した後、通常はその傾斜角度を変更しないことから、パチンコ遊技機に表示装置を内在させたものにおいては、効果が乏しいという問題があった。
【０００７】
本発明は、このような事情に鑑みてなされたもので、外枠の島設備に対する固定作業を容易に行わせることができ、設置コストを低減させることができるパチンコ遊技機を提供することにある。
【課題を解決するための手段】
【０００８】
請求項１記載の発明は、遊技ホールの島設備における設置枠台に対して所定角度傾斜して固定されるとともに、上面板、一対の側面板及び下面板から成る外枠と、該外枠に揺動可能に設けられた内枠と、該内枠に揺動可能に設けられ、遊技盤、ハンドル及び受け皿等が形成されたガラス枠ユニットとを具備したパチンコ遊技機において、前記外枠は、紐状部材の先端に錘を吊して成る錘手段を取り付け可能とされるとともに、当該外枠を所定の傾斜角度とした際に自重で垂れ下がった前記錘の位置と合致する角度目印が前記下面板に形成されたことを特徴とする。
【０００９】
請求項２記載の発明は、請求項１記載のパチンコ遊技機において、前記角度目印は、複数形成され、自重で垂れ下がった前記錘を任意の角度目印に合致させることにより前記外枠を所望の角度傾斜に設定可能とされたことを特徴とする。
【００１０】
請求項３記載の発明は、請求項１又は請求項２記載のパチンコ遊技機において、前記錘は、その先端が尖って形成されたことを特徴とする。
【発明の効果】
【００１１】
請求項１の発明によれば、外枠は、紐状部材の先端に錘を吊して成る錘手段を取り付け可能とされるとともに、当該外枠を所定の傾斜角度とした際に自重で垂れ下がった錘の位置と合致する角度目印が下面板に形成されたので、外枠の島設備に対する固定作業を容易に行わせることができ、設置コストを低減させることができる。
【００１２】
請求項２の発明によれば、角度目印は、複数形成され、自重で垂れ下がった錘を任意の角度目印に合致させることにより外枠を所望の角度傾斜に設定可能とされたので、傾斜角度が種々異なるパチンコ遊技機に対応させることができ、汎用性を向上させることができる。
【００１３】
請求項３の発明によれば、錘は、その先端が尖って形成されたので、錘の位置と角度目印との合致作業を正確且つ容易に行わせることができ、外枠をより精度よく所定角度に傾斜させて固定するができる。
【図面の簡単な説明】
【００１４】
【図１】本発明の実施形態に係るパチンコ遊技機を示す正面図
【図２】同パチンコ遊技機を示す側面図
【図３】同パチンコ遊技機を示す斜視図
【図４】同パチンコ遊技機における外枠を示す平面図、正面図及び側面図
【図５】同パチンコ遊技機における外枠の下面板を示す模式図
【図６】同パチンコ遊技機における外枠を所定角度傾斜させて固定させた際の角度目印と錘手段との位置関係を示す模式図
【図７】本発明の他の実施形態に係るパチンコ遊技機における外枠の下面板を示す模式図
【発明を実施するための形態】
【００１５】
以下、本発明の実施形態について図面を参照しながら具体的に説明する。
本実施形態に係るパチンコ遊技機は、遊技ホールの島設備における設置枠台に対して所定角度傾斜して固定される外枠を有したものであり、図１〜３に示すように、外枠７と、内枠８と、ガラス枠ユニット３とから主に構成されている。このうち内枠８は、揺動軸Ｌ１にて外枠７に揺動可能に設けられた枠状部材から成るとともに、ガラス枠ユニット３は、揺動軸Ｌ２にて当該内枠８に揺動可能に設けられた前面側の部材から成る。
【００１６】
外枠７は、遊技ホールの島設備（所謂「島」と称される複数のパチンコ遊技機が設置される設備であって、電源設備や遊技球の循環設備等が配設されたもの）における設置枠台９に対して釘やボルト等の固定手段にて固定されるべきものである。かかる外枠７は、図４に示すように、上面板７ａ、一対の（左右の）側面板７ｂ及び下面板７ｃから成るものとされ、これら上面板７ａ、一対の側面板７ｂ及び下面板７ｃを枠状に組み付けて構成されている。
【００１７】
また、外枠７は、設置枠台９に対して所定角度傾斜して固定される（図６参照）ものとされ、具体的には、下端側（下面板７ｃ側）を固定させた状態にて上端側（上面板７ａ側）を後方へ所定寸法変位させて固定することにより、後方へ所定角度傾斜して設置されるようになっている。尚、外枠７の傾斜角度は、予め定められた角度（例えば傾斜角度α°）とされている。外枠７を所定角度傾斜して固定することにより、パチンコ遊技機１全体が当該角度だけ傾斜し得るようになっている。
【００１８】
内枠８は、例えば賞球払出装置、払出制御基盤、電源基盤等が配設されたもので、外枠７及びガラス枠ユニット３のそれぞれに対して揺動自在に配設されたものである。ガラス枠ユニット３は、ガラス板２を介して目視可能な遊技盤４と、当該遊技盤４に遊技球を発射し得るハンドル５と、賞球としての遊技球を受け得る受け皿６とが形成されたものであり、遊技盤４には、図示しない役物及び図柄表示手段等が形成されている。
【００１９】
ここで、本実施形態に係る外枠７においては、図６に示すように、紐状部材１１ｂの先端に錘１１ａを吊して成る錘手段１１を取り付け可能とされている。かかる錘手段１１は、その紐状部材１１ｂの基端が例えば外枠７における上面板７ａの内側中央近傍にピン等で固定され得るよう構成されており、錘１１ａの自重で紐状部材１１ｂが鉛直方向に垂れ下がるようになっている。また、本実施形態に係る錘１１ａは、図示の如く、その先端が尖って形成されている。
【００２０】
更に、外枠７の下面板７ｃには、図５に示すように、その内周面７ｃａ（内側を臨んだ面）に角度目印１０が形成されている。かかる角度目印１０は、図６に示すように、外枠７を所定の傾斜角度αとした際に自重で垂れ下がった錘１１ａの位置と合致する直線状のものである。これにより、外枠７の設置枠台９に対する固定作業時、同図に示すように、角度目印１０と錘１１ａとが合致する位置で位置決めしつつ固定させれば、他の精密な測定装置等を不要としつつ外枠７を所定の傾斜角度αとすることができる。
【００２１】
よって、上記実施形態によれば、外枠７の島設備に対する固定作業を容易に行わせることができ、設置コストを低減させることができる。即ち、作業者は、錘１１ａと紐状部材１１ｂとから成る簡素な構成の錘手段１１を携帯していれば固定作業を行うことができ、別個に高価な測定器を具備する必要がないのである。尚、角度目印１０は、下面板７ｃに所定色のインク等で描画された直線、或いは刻印された直線の何れであってもよい。また、錘手段１１は、その錘１１ａは、その自重で紐状部材１１ｂが垂れ下がる程度の重量のものであれば足り、何れのものであってもよい。紐状部材１１ｂとしては、紐、糸或いはワイヤ等が挙げられる。
【００２２】
然るに、角度目印１０は、図７に示すように、下面板７ｃ’の内周面７ｃ’ａにおいて複数形成されたもの（例えば、角度目印１０ａ、１０ｂ、１０ｃで示す複数の直線）であってもよい。この場合、自重で垂れ下がった錘１１ａを任意の角度目印（１０ａ、１０ｂ、１０ｃの何れか）に合致させることにより外枠７を所望の角度傾斜に設定可能とすることができる。これにより、傾斜角度が種々異なるパチンコ遊技機１に対応させることができ、汎用性を向上させることができる。
【００２３】
尚、かかる場合の角度目印１０ａ、１０ｂ、１０ｃは、上記実施形態と同様、下面板７ｃ’に所定色のインク等で描画された直線、或いは刻印された直線の何れであってもよい。また、それぞれの角度目印１０ａ、１０ｂ、１０ｃは、傾斜角度に応じて色分けされたり、或いは線種を異ならせたりするのが好ましい。更に、各角度目印１０ａ、１０ｂ及び１０ｃに傾斜角度を示す目盛り等を描画しておいてもよい。
【００２４】
上記実施形態によれば、錘１１ａは、その先端が尖って形成されたので、錘１１ａの位置と角度目印１０との合致作業を正確且つ容易に行わせることができ、外枠７をより精度よく所定角度に傾斜させて固定するができる。尚、錘１１ａの全体形状は、矩形状のもの、円形或いは楕円形のもの、異形状のもの等何れであってもよく、先端が尖っていないものを用いてもよい。
【００２５】
以上、本実施形態について説明したが、本発明はこれらに限定されず、例えば錘１１ａの外枠７に対する取付位置は、側面板７ｂの内壁面上部、上面板７ａの内周面の何れであってもよい。また、紐状部材１１ｂの基端を取り付けるための目印或いはフック等を上面板７ａの内周面又は側面板７ｂの内壁面上部に形成するようにして、外枠７をより精度よく所定角度に傾斜させて固定するよう構成してもよい。尚、角度目印１０（１０ａ、１０ｂ、１０ｃも同様）は、直線に限らず、点や円などの目印であってもよい。
【産業上の利用可能性】
【００２６】
外枠は、紐状部材の先端に錘を吊して成る錘手段を取り付け可能とされるとともに、当該外枠を所定の傾斜角度とした際に自重で垂れ下がった錘の位置と合致する角度目印が下面板に形成されたパチンコ遊技機であれば、外観形状が異なるもの或いは他の機能が付加されたもの等にも適用することができる。
【符号の説明】
【００２７】
１  パチンコ遊技機
２  ガラス板
３  ガラス枠ユニット
４  遊技盤
５  ハンドル
６  受け皿
７  外枠
７ａ  上面板
７ｂ  側面板
７ｃ  下面板
８  内枠
９  設置枠台
１０  角度目印
【図１】
2010284292.tif 000003
【図２】
2010284292.tif 000004
【図３】
2010284292.tif 000005
【図４】
2010284292.tif 000006
【図５】
2010284292.tif 000007
【図６】
2010284292.tif 000008
【図７】
2010284292.tif 000009